(57)【要約】【課題】  従来のペンダントやネックレスには存在しなかった、うなじ側へのデザインを重視したペンダントと、装着時に発生するチェーンの連結部やペンダントトップのズレを解消するための機能を、同時に兼ね備えたペンダント及びネックレスを提供する。【解決手段】  うなじ側用に、少し大きめのペンダントトップを用い、それに装飾された凹凸のある留め金具を設けた短いチェーンを左右に取り付ける。胸元側も一本の短めのチェーンを用いて、それに同様の凹凸のある留め金具を設け、従来のペンダントトップを取り付ける。このようにして構成された二つのペンダントを互いに連結させることによって、胸元と襟元とうなじ側の三点に、独立した装飾を持つ一本のネックレスとなることを特徴とする。【選択図】図５
2007275515.tif 000002
【特許請求の範囲】
【請求項１】
ペンダントトップ（１）に、装飾付きの留め金具（４）（５）を設けた６〜１２ｃｍ程度の長さのチェーン（２）と（３）を左右対象に儲けた〔図１〕と、装飾付きの留め金具（８）（９）を設けた２４〜３８ｃｍ程度の長さのチェーン（７）にペンダントトップ（６）を取り付けた〔図２〕が、それぞれのチェーンの連結部（４）と（８）、（５）と（９）の留め金具とで互いに連結されて、一本のネックレス〔図５〕となることを特徴とする、胸元と襟元とうなじ側の三点に、独立した装飾を持つネックレス及びペンダント。
【請求項２】
うなじ側に独立させたペンダントを用い、尚且つチェーンの留め金具を左右の襟元にて連結させることで、装着時におけるズレを抑制する働きを持たせたことを特長とするネックレス及びペンダント。
【請求項３】
連結部の留め金具（４）（５）（８）（９）のように（４）（９）は凹（５）（８）は凸のホック式の連結方法で、その両方の留め金具の片面にはそれぞれ装飾が施されてある、片面に装飾を施した凹凸のあるホック式の連結部を持つチェーン。
【発明の詳細な説明】
【技術分野】
【０００１】  本発明は、胸元とうなじ側に、それぞれ異なるペンダントトップを自由に組み合わせておしゃれを楽しめるとともに、装着時におけるズレを抑制する効果のある、長さの異なるチェーンを連結させて使用するペンダント及びネックレスに関するものである。
【背景技術】
【０００２】  従来のネックレスやペンダントは、前面重視にデザインされたものがほとんどであるため、後ろ髪を上げて束ねたり、ドレスを着たり、首周りが大きく開いた洋服や、水着を着たときには、後姿や首周りが淋しく映っていた。【０００３】  ペンダントトップも、胸元用にデザインされたものばかりで、うなじ側用にデザインされたペンダントトップは皆無に等しい。【０００４】  たとえ後側に装飾があるものでも、一本のチェーンに装飾が施してあるため、ペンダントトップを取り替えたり、前後を取り替えたりして楽しむことはできなかった。【０００５】  ネックレスの装着時に必ず生じる、留め金具のズレを防止するために考案されたものが、いくつかは存在するが、そのどれもがズレ防止器具としての発想であり、デザイン性に乏しく、かえって余計なものが付いているように見えてしまい、実用的に優れないものであった。（例えば特許文献１参照）
【特許文献１】  特開２００５−１１８３２４号  公報
【０００６】  また、ネックレスの留め金具のほとんどは引き輪式のものが多く、取り外しが容易ではなかった。そのため、磁石を使用したものや凹凸をスライドさせるもの、装飾の無い筒状のホック式のものも考案されているが、それらはあまり実用化されてはいない。
【発明の開示】
【発明が解決しようとする課題】
【０００７】  以上に述べた従来のペンダントやネックレスの構造では、デザインのパターンに限りがあるため、首周りを美しく演出するためのアクセサリーとしては、美しさやその楽しみ方にも限界があった。
本発明は、これらの欠点を解消するためになされたものであり、数種類のうなじ側用のペンダントトップと従来の胸元のペンダントトップとを、前後にそれぞれ自由に組み合わせて、より美しく実用的におしゃれを楽しむことができるようにしたものである。
【課題を解決するための手段】
【０００８】  前述した目的を達成するためには、胸元とうなじ側の装飾を一本のチェーンではなく、〔図１〕〔図２〕のように独立させたチェーンを用いることとする。それらを、互いの留め金具で連結させることによって一本のネックレス〔図３〕が完成する構造である。【０００９】  うなじ側にあるペンダントトップ（１）の左右に儲けたチェーン（２）と（３）が、胸元側のチェーン（７）と、襟元で、互いの留め金具（４）と（８）、（５）と（９）によって連結される。その結果それぞれのペンダントトップ（１）と（６）及び留め金具の装飾が、安定した位置で保持できるので、ズレが防止できる。
【発明の効果】
【００１０】  従来には存在しなかった、〔図１〕のような、うなじ側用のペンダントはインパクトが強く、胸元のペンダントトップ（６）を変えるだけでは満足できなかった首周りのおしゃれも、それぞれを自由に組み合わせることによって、より個性が発揮できる。
例えば、〔図１〕と〔図２〕のそれぞれに、各１０種類ずつの異なるデザインがあるとすると、その組み合わせは１００〜２００通りにもなる。【００１１】  従来のような発想のズレ防止具では、かえって余計なものが付いているように感じられたが、本発明は、うなじ側のおしゃれを演出するための装飾〔図１〕によってズレを防止することを特長とするため、新たなアクセサリーグッズとしても受け入れやすい。
また、〔図１〕はうなじ側、〔図２〕は胸元をそれぞれ美しく魅せるアクセサリーとしての役割はもちろんのこと、激しい運動をしてもそれぞれの位置で確実に保持できる。【００１２】  引き輪式ではなく、装飾の付いたホック式の留め金具（４）（５）（８）（９）で、〔図１〕と〔図２〕を連結することによって、襟元にも左右対称に装飾がくるので、見た目もスッキリとして美しく、取り外しも便利である。
【発明を実施するための最良の形態】
【００１３】  以下、本発明の実施の形態を図１〜図３に基づいて説明する。【００１４】  少し大きめのペンダントトップ（１）の両側に、６〜１２ｃｍ程度の従来のネックレスのチェーンよりも短いチェーン（２）（３）をそれぞれに設け、チェーン（２）（３）に、連結部となる装飾付の留め金具（４）と（５）を、片方ずつに設ける。これにより〔図１〕が完成する。【００１５】  ２４〜３８ｃｍ程度の従来のネックレスのチェーンよりもやや短めのチェーン（７）に、連結部となる装飾付の留め金具（８）（９）を両端にひとつずつ設け、これにペンダントトップ（６）を取り付ける。これにより〔図２〕が完成する。【００１６】  使用する際には、以上のように構成された〔図１〕と〔図２〕の連結部の留め金具の（４）と（８）を接続してから首に掛け、残ったもう片方の留め金具（５）と（９）とを接続して使用する。【００１７】  販売する際には、〔図３〕のように一本のネックレスとして販売するほか、数種類の〔図１〕〔図２〕を自由に選択できるよう、それぞれ単独にて販売する。【００１８】  以上のように本実施形態によれば、ネックレス及びペンダントが持つアクセサリーとしての価値は、さらに高まるものと考える。
【図面の簡単な説明】
【００１９】
【図１】  本発明のうなじ側のペンダントの正面図
【図２】  本発明の胸元側のペンダントの正面図
【図３】  図１の背面図
【図４】  図２の背面図
【図５】  本発明の図１と図２を連結した実施例の正面図
【図６】  図５の背面図
【符号の説明】
【００２０】    １  ペンダントトップ
２  チェーン
３  チェーン
４  凹型の装飾付き留め金具
５  凸型の装飾付き留め金具
６  ペンダントトップ
７  チェーン
８  凸型の装飾付き留め金具
９  凹型の装飾付き留め金具
【図１】
2007275515.tif 000003
【図２】
2007275515.tif 000004
【図３】
2007275515.tif 000005
【図４】
2007275515.tif 000006
【図５】
2007275515.tif 000007
【図６】
2007275515.tif 000008